【手続補正書】
【提出日】平成26年4月28日(2014.4.28)
【手続補正１】
【補正対象書類名】特許請求の範囲
【補正対象項目名】全文
【補正方法】変更
【補正の内容】
【特許請求の範囲】
【請求項１】
表示パネルと、
前記表示パネルに向けて照明光を出射する第１の光源及び第２の光源を備える発光手段と、
前記表示パネルに、観察者が右目で観察するための右目用画像データと左目で観察するための左目用画像データとを交互に出力する画像出力手段と、
前記画像出力手段が前記表示パネルに出力する画像データを右目用画像データに切り替えるタイミングに同期して前記第１の光源を点灯させ、前記画像出力手段が前記表示パネルに出力する画像データを左目用画像データに切り替えるタイミングに同期して前記第２の光源を点灯させる制御手段と、
前記表示パネルに出力される画像データを補正する画像補正手段と、
を備え、
前記画像補正手段は、前記制御手段が前記第１の光源を点灯させる場合、前記表示パネルに出力される画像データに対し第１の光源の発光特性に基づく補正を行い、前記制御手段が前記第２の光源を点灯させる場合、前記表示パネルに出力される画像データに対し第２の光源の発光特性に基づく補正を行う画像表示装置。
【請求項２】
前記発光手段は、
前記第１の光源が、前記表示パネルに向かって右方向に出射光強度のピークが存在する指向性をもった第１の照明光を前記表示パネルに向けて出射し、
前記第２の光源が、前記表示パネルに向かって左方向に出射光強度のピークが存在する指向性をもった第２の照明光を前記表示パネルに向けて出射するよう構成される請求項１に記載の画像表示装置。
【請求項３】
前記画像出力手段は、偶数フィールドが右目用画像又は左目用画像の一方、奇数フィールドが右目用画像又は左目用画像の他方である画像データを前記表示パネルに出力し、
前記画像出力手段が前記表示パネルに出力する画像データが偶数フィールド又は奇数フィールドのいずれであるかを判別する判別手段を更に備え、
前記判別手段により判別されるフィールドが右目用画像のフィールドの場合、前記制御手段は前記第１の光源を点灯させ、前記画像補正手段は右目用画像データに対し前記第１の光源の発光特性に基づく補正を行い、
前記判別手段により判別されるフィールドが左目用画像のフィールドの場合、前記制御手段は前記第２の光源を点灯させ、前記画像補正手段は左目用画像データに対し前記第２の光源の発光特性に基づく補正を行う、請求項２に記載の画像表示装置。
【請求項４】
前記表示パネル及び前記発光手段を左右方向の軸周りに回転させる回転機構と、
前記表示パネル及び前記発光手段の左右方向の軸周りの回転位置が所定の正転位置と前記正転位置に対し１８０度回転した反転位置とのいずれであるかを検出する検出手段と、を備え、
前記画像出力手段は、前記表示パネル及び前記発光手段の回転位置が反転位置の場合、前記表示パネル及び前記発光手段の回転位置が正転位置の場合に前記表示パネルに出力する画像データに対し上下方向及び左右方向を反転させた画像データを前記表示パネルに出力し、
前記発光手段は、回転位置が正転位置の場合、第１の光源が第１の照明光を出射し、第２の光源が第２の照明光を出射し、回転位置が反転位置の場合、第１の光源が第２の照明光を出射し、第２の光源が第１の照明光を出射するよう構成され、
前記発光手段の回転位置が正転位置であることが前記検出手段により検出された場合、
前記画像出力手段が前記表示パネルに出力する画像データを右目用画像データに切り替えるタイミングに同期して、前記制御手段は、第１の光源を点灯させ、前記画像補正手段は、右目用画像データに対し第１の光源の発光特性に基づく補正を行い、
前記画像出力手段が前記表示パネルに出力する画像データを左目用画像データに切り替えるタイミングに同期して、前記制御手段は、第２の光源を点灯させ、前記画像補正手段は、左目用画像データに対し第２の光源の発光特性に基づく補正を行い、
前記発光手段の回転位置が反転位置であることが前記検出手段により検出された場合、
前記画像出力手段が前記表示パネルに出力する画像データを右目用画像データに切り替えるタイミングに同期して、前記制御手段は、第２の光源を点灯させ、前記画像補正手段は、右目用画像データに対し第２の光源の発光特性に基づく補正を行い、
前記画像出力手段が前記表示パネルに出力する画像データを左目用画像データに切り替えるタイミングに同期して、前記制御手段は、第１の光源を点灯させ、前記画像補正手段は、左目用画像データに対し第１の光源の発光特性に基づく補正を行う、請求項２又は３に記載の画像表示装置。
【請求項５】
前記画像補正手段は、前記表示パネルに出力される画像データに対し、ホワイトバランスの補正を行う請求項１〜４のいずれか１項に記載の画像表示装置。
【請求項６】
表示パネルと、
前記表示パネルに向けて照明光を出射する第１の光源及び第２の光源を備える発光手段と、
を備えた画像表示装置の制御方法であって、
前記表示パネルに、観察者が右目で観察するための右目用画像データと左目で観察するための左目用画像データとを交互に出力する画像出力工程と、
前記画像出力工程で前記表示パネルに出力する画像データが右目用画像データに切り替えられるタイミングに同期して前記第１の光源を点灯させ、前記画像出力工程で前記表示パネルに出力する画像データが左目用画像データに切り替えられるタイミングに同期して前記第２の光源を点灯させる制御工程と、
前記表示パネルに出力される画像データを補正する画像補正工程と、
を有し、
前記画像補正工程では、前記制御工程で前記第１の光源が点灯する場合、前記表示パネルに出力される画像データに対し第１の光源の発光特性に基づく補正を行い、前記制御工程で前記第２の光源が点灯する場合、前記表示パネルに出力される画像データに対し第２の光源の発光特性に基づく補正を行う画像表示装置の制御方法。
【請求項７】
前記発光手段は、
前記第１の光源が、前記表示パネルに向かって右方向に出射光強度のピークが存在する指向性をもった第１の照明光を前記表示パネルに向けて出射し、
前記第２の光源が、前記表示パネルに向かって左方向に出射光強度のピークが存在する指向性をもった第２の照明光を前記表示パネルに向けて出射するよう構成される請求項６に記載の画像表示装置の制御方法。
【請求項８】
前記画像出力工程では、偶数フィールドが右目用画像又は左目用画像の一方、奇数フィールドが右目用画像又は左目用画像の他方である画像データを前記表示パネルに出力し、
前記画像出力工程で前記表示パネルに出力する画像データが偶数フィールド又は奇数フィールドのいずれであるかを判別する判別工程を更に有し、
前記判別工程により判別されるフィールドが右目用画像のフィールドの場合、前記制御工程では前記第１の光源を点灯させ、前記画像補正工程では右目用画像データに対し前記第１の光源の発光特性に基づく補正を行い、
前記判別工程により判別されるフィールドが左目用画像のフィールドの場合、前記制御工程では前記第２の光源を点灯させ、前記画像補正工程では左目用画像データに対し前記第２の光源の発光特性に基づく補正を行う、請求項７に記載の画像表示装置の制御方法。
【請求項９】
前記画像表示装置は、前記表示パネル及び前記発光手段を左右方向の軸周りに回転させる回転機構を備え、
前記画像表示装置の制御方法は、前記表示パネル及び前記発光手段の左右方向の軸周りの回転位置が所定の正転位置と前記正転位置に対し１８０度回転した反転位置とのいずれであるかを検出する検出工程を更に有し、
前記画像出力工程では、前記表示パネル及び前記発光手段の回転位置が反転位置の場合、前記表示パネル及び前記発光手段の回転位置が正転位置の場合に前記表示パネルに出力する画像データに対し上下方向及び左右方向を反転させた画像データを前記表示パネルに出力し、
前記発光手段は、回転位置が正転位置の場合、第１の光源が第１の照明光を出射し、第２の光源が第２の照明光を出射し、回転位置が反転位置の場合、第１の光源が第２の照明光を出射し、第２の光源が第１の照明光を出射するよう構成され、
前記発光手段の回転位置が正転位置であることが前記検出工程により検出された場合、
前記画像出力工程で前記表示パネルに出力する画像データを右目用画像データに切り替えるタイミングに同期して、前記制御工程では、第１の光源を点灯させ、前記画像補正工程では、右目用画像データに対し第１の光源の発光特性に基づく補正を行い、
前記画像出力工程で前記表示パネルに出力する画像データを左目用画像データに切り替えるタイミングに同期して、前記制御工程では、第２の光源を点灯させ、前記画像補正工程では、左目用画像データに対し第２の光源の発光特性に基づく補正を行い、
前記発光手段の回転位置が反転位置であることが前記検出工程により検出された場合、
前記画像出力工程で前記表示パネルに出力する画像データを右目用画像データに切り替えるタイミングに同期して、前記制御工程では、第２の光源を点灯させ、前記画像補正工程では、右目用画像データに対し第２の光源の発光特性に基づく補正を行い、
前記画像出力工程で前記表示パネルに出力する画像データを左目用画像データに切り替えるタイミングに同期して、前記制御工程では、第１の光源を点灯させ、前記画像補正工程では、左目用画像データに対し第１の光源の発光特性に基づく補正を行う、請求項７又は８に記載の画像表示装置の制御方法。
【請求項１０】
前記画像補正工程では、前記表示パネルに出力される画像データに対し、ホワイトバランスの補正を行う請求項６〜９のいずれか１項に記載の画像表示装置の制御方法。
【手続補正２】
【補正対象書類名】明細書
【補正対象項目名】００１６
【補正方法】変更
【補正の内容】
【００１６】
本発明は、表示パネルと、
前記表示パネルに向けて照明光を出射する第１の光源及び第２の光源を備える発光手段と、
前記表示パネルに、観察者が右目で観察するための右目用画像データと左目で観察するための左目用画像データとを交互に出力する画像出力手段と、
前記画像出力手段が前記表示パネルに出力する画像データを右目用画像データに切り替えるタイミングに同期して前記第１の光源を点灯させ、前記画像出力手段が前記表示パネルに出力する画像データを左目用画像データに切り替えるタイミングに同期して前記第２の光源を点灯させる制御手段と、
前記表示パネルに出力される画像データを補正する画像補正手段と、
を備え、
前記画像補正手段は、前記制御手段が前記第１の光源を点灯させる場合、前記表示パネルに出力される画像データに対し第１の光源の発光特性に基づく補正を行い、前記制御手段が前記第２の光源を点灯させる場合、前記表示パネルに出力される画像データに対し第２の光源の発光特性に基づく補正を行う画像表示装置である。
【手続補正３】
【補正対象書類名】明細書
【補正対象項目名】００１７
【補正方法】変更
【補正の内容】
【００１７】
本発明は、表示パネルと、
前記表示パネルに向けて照明光を出射する第１の光源及び第２の光源を備える発光手段と、
を備えた画像表示装置の制御方法であって、
前記表示パネルに、観察者が右目で観察するための右目用画像データと左目で観察するための左目用画像データとを交互に出力する画像出力工程と、
前記画像出力工程で前記表示パネルに出力する画像データが右目用画像データに切り替えられるタイミングに同期して前記第１の光源を点灯させ、前記画像出力工程で前記表示パネルに出力する画像データが左目用画像データに切り替えられるタイミングに同期して前記第２の光源を点灯させる制御工程と、
前記表示パネルに出力される画像データを補正する画像補正工程と、
を有し、
前記画像補正工程では、前記制御工程で前記第１の光源が点灯する場合、前記表示パネルに出力される画像データに対し第１の光源の発光特性に基づく補正を行い、前記制御工程で前記第２の光源が点灯する場合、前記表示パネルに出力される画像データに対し第２の光源の発光特性に基づく補正を行う画像表示装置の制御方法である。